(57)【特許請求の範囲】
【請求項１】
筆記装置にて記録媒体上に書き込まれる書込み内容を、筆記装置の動作に合わせて書込み内容読取装置により読み取ることができるライティングボード装置に用いられる筆記装置であって、
前記書込み内容読取装置に色情報を送信して前記書込み内容の色を切り替えることができる色情報切り替え手段と、
電源が供給されると書込み開始信号を送信する書込み開始信号送信部と、
記録媒体上を反射した書込み開始信号を受信する書込み開始信号受信部と、
筆記動作に合わせて位置情報を送信する位置情報送信部と、
設定されている色情報を送信する色情報送信部と、
前記書込み開始信号送信部から書込み開始信号が送信されてから前記書込み開始信号受信部にて受信されるまでに要した時間が設定時間より短いときのみ、前記位置情報送信部に位置情報を送信させる制御部と、
を備えたことを特徴とする、筆記装置。
【請求項２】
前記色情報切り替え手段は、手動操作で色情報を切り替えることができる色切り替えスイッチを、筆記装置本体の外側に設けていることを特徴とする、請求項１に記載の筆記装置。
【請求項３】
前記制御部にて、前記書込み開始信号送信部から書込み開始信号が送信されてから前記書込み開始信号受信部にて受信されるまでに要した時間が設定時間より短いときのみ、前記位置情報送信部に位置情報を送信させるとともに、前記色情報送信部に色情報を送信させることを特徴とする、請求項１または２に記載の筆記装置。
【請求項４】
筆記装置本体の外側で操作されてＯＮになったとき電源が供給される動作スイッチを備えることを特徴とする、請求項１ないし３のいずれか１に記載の筆記装置。
【請求項５】
筆記装置本体の外面に植毛処理を施したことを特徴とする、請求項１ないし４のいずれか１に記載の筆記装置。
【請求項６】
筆記装置本体の内面に衝撃吸収材を施したことを特徴とする、請求項１ないし５のいずれか１に記載の筆記装置。
【請求項７】
電源部に蓄電部と充電部とを備えたことを特徴とする、請求項１ないし６のいずれか１に記載の筆記装置。
【請求項８】
請求項１ないし７に記載の筆記装置にて記録媒体上に書込みを行うことを特徴とする、ライティングボード装置。
【請求項９】
前記筆記装置にて記録媒体上に書き込まれる書込み内容を前記筆記装置の筆記動作に合せてリアルタイムに読み取る前記書込み内容読取装置と、該書込み内容読取装置を外部機器と通信可能とする通信手段とを備えたことを特徴とする、請求項８に記載のライティングボード装置。
【請求項１０】
前記筆記装置にて記録媒体上に書き込まれた書込み内容を、前記通信手段を介した外部機器からの操作により自動的に消去する自動消去手段を備えたことを特徴とする、請求項８または９に記載のライティングボード装置。
【請求項１１】
前記書込み内容読取装置により読み取った書込み内容を表示するモニタを備えたことを特徴とする、請求項８ないし１０のいずれか１に記載のライティングボード装置。
【発明の詳細な説明】
【０００１】
【発明の属する技術分野】
本発明は、エンドレスシート等の記録媒体の表面に書込みを行い、その書込み内容を読み取る、会議等で用いる電子黒板装置や、プレゼンテーションを行うときに用いるプレゼンテーション装置などのライティングボード装置に関する。及び、それに用いる筆記装置に関する。
【０００２】
【従来の技術】
従来、たとえば電子黒板装置の中には、筆記具により任意の書込みを行うシート状の記録媒体と、その記録媒体上を走査してその表面上の書込み内容を読み取る走査式読取手段と、その走査式読取手段で読み取った書込み内容を記録紙に記録するプリント手段とを備えるものがある。
【０００３】
また、たとえば特開平９−１２３６８１号公報に記載されるように、自動消去手段を備えており、消去スイッチを切換操作することにより、筆記具にて任意に書き込まれた記録媒体上の書込み内容を自動消去することができる電子黒板装置も提供されている。
【０００４】
また、たとえば特表２０００−５０９８６８号公報に記載されるように、製図用に用いられるデジタイザ（書込み内容読取装置）には、ペンより超音波の位置信号を送信し、表示ボードに取り付けてある２箇所以上の位置信号受信部により位置信号を受信して、位置信号の送信から受信までに要した時間よりペンと受信部の距離を求め、三角測量の原理によりペンの位置を認識して線図を作図するものがある。
【０００５】
一方、電子黒板装置の記録媒体上の書込み内容の色については、筆記装置より色信号を送信し、電子黒板装置に取り付けてある書込み内容読取装置の色信号受信部により色信号を受信し、筆記装置の色を認識するが、筆記装置が送信できる色信号は、筆記装置一本につき一色の色信号である。たとえば、黒色の筆記装置で書込みを行っていて、書込み内容の色を赤色に変えるとき、赤色専用の筆記装置を使用して電子黒板装置に書き込む。
【０００６】
また、従来の筆記装置の電源スイッチは、筆記装置のペン先を電子黒板装置に押し当てることにより、筆記装置内部に収納されているペンが押されると、ペンの後ろに設置してあるバネ式のスイッチが押されて筆記装置の電源が入るようになっている。
【０００７】
【発明が解決しようとする課題】
ところが、従来の自動消去機能付き電子黒板装置では、黒板に書き込んだ内容を保存するとき、記録媒体上を走査してその表面上の書込み内容を読み取る走査式読取手段で読み取り、その内容を電子黒板装置に付属のプリンタなどでプリントして保存する方法が一般的である。この方法では、アナログ的な紙などでの保存方法になる。
【０００８】
また、従来の自動消去機能付き電子黒板装置では、記録媒体上の書込み内容をデジタルデータとしてパソコンなどに取り込めないため、黒板に書き込んだ内容をパソコンなどを使用して加工したり、電子データとして保存したり、ネットワークを経由して遠隔地に送信したり、リアルタイムに遠隔地などとのネットワークミーティングなどすることができなかった。
【０００９】
また、記録媒体上に書き込んだ書込み内容を筆記装置の動作に合わせてリアルタイムに読み取る従来の書込み内容読取装置は、たとえば赤色で書き込みたいときには、赤色用の筆記装置を使用して書込みを行うため、記録媒体上に書き込みたい色毎にその色専用の筆記装置を必要とすることとなり、記録媒体上に書き込む色の数だけその色専用の筆記装置を用意しなければならない。その場合の筆記装置は機構上、従来の電子黒板用の筆記ペンと比較して大きくなるため、筆記装置を置くスペースが広く必要になる。また、コストの面からみても書き込む色の数だけ筆記装置が必要なため、高価になるという問題もある。
【００１０】
また、電子黒板装置に用いられる従来の筆記装置の電源スイッチは、上記のように筆記装置のペン先を電子黒板装置に押し当てることにより、筆記装置内部に収納されているペンが後ろに押されて、ペンの後ろに設置してあるバネ式のスイッチが押されて筆記装置の電源が供給される仕組みになっていた。しかし、この方式では、電子黒板装置の記録媒体上に書込みを行うとき、筆記装置内部に収納されているペン先を強く記録媒体上に押し当てて筆記しないと電源が供給されないため、すぐにペン先がつぶれて書けなくなるという問題がある。また、バネ式のスイッチは応答性が悪く、書込みをしていないときもバネが戻らずにスイッチが入ったままとなり、電池がすぐになくなるという問題があった。
【００１１】
さらに、電子黒板装置に用いられる従来の筆記装置では、落下した際の衝撃で筆記装置が壊れやすいという問題もあった。
【００１２】
本発明の第１の目的は、ライティングボード装置において、記録媒体上の書込み内容をパソコン等の外部機器にリアルタイムで取り込むことができるとともに、ネットワークを経由して遠隔地に送信したり、リアルタイムにネットワークミーティングなどが行えるようにすることにある。
【００１３】
第２の目的は、第１の目的に加え、筆記装置の書込み内容を無線で読み取ることができるようにすることにある。
【００１４】
第３の目的は、第１の目的に加え、同じ筆記装置を用いて書込み内容の色を変えることができるようにすることにある。
【００１５】
第４の目的は、第１の目的に加え、記録媒体上に書き込まれた書込み内容を、外部機器からの操作により消去することができるようにすることにある。
【００１６】
第５の目的は、第１の目的に加え、読み取った書込み内容を当該ライティングボード装置で表示できるようにすることにある。
【００１７】
第６の目的は、第１の目的に加え、書込み内容読取装置により読み取られて外部機器に表示された画像を、当該ライティングボード装置から操作できるようにすることにある。
【００１８】
第７の目的は、第１の目的に加え、遠隔地とのネットワークミーティングなどで音声の送受信を行えるようにすることにある。
【００１９】
本発明の第８の目的は、記録媒体上の書込み内容の色を一本の筆記装置で切り替えることができる筆記装置を提供することにある。
【００２０】
第９の目的は、第８の目的に加え、色切り替えを筆記装置本体の外側に設けたスイッチで簡単に行えるようにすることにある。
【００２１】
第１０の目的は、第８の目的に加え、筆記装置の電源消費量が抑えられるとともに、ペンの寿命を延ばすことができるようにすることにある。
【００２２】
第１１の目的は、第８の目的に加え、誤って筆記装置を落としてしまったときにも、衝撃による破損を防止できるとともに、手で持って筆記しやすくすることにある。
【００２３】
第１２の目的は、第８の目的に加え、誤って筆記装置を落としてしまっても、内部回路等への衝撃をやわらげることができるようにすることにある。
【００２４】
第１３の目的は、第８の目的に加え、筆記装置において乾電池等の電池交換の手間を省くことにある。
【００２５】
【課題を解決するための手段】
請求項１に記載の発明は、筆記装置にて記録媒体上に書き込まれる書込み内容を、筆記装置の動作に合わせて書込み内容読取装置により読み取ることができるライティングボード装置に用いられる筆記装置であって、
前記書込み内容読取装置に色情報を送信して前記書込み内容の色を切り替えることができる色情報切り替え手段と、
電源が供給されると書込み開始信号を送信する書込み開始信号送信部と、
記録媒体上を反射した書込み開始信号を受信する書込み開始信号受信部と、
筆記動作に合わせて位置情報を送信する位置情報送信部と、
設定されている色情報を送信する色情報送信部と、
前記書込み開始信号送信部から書込み開始信号が送信されてから前記書込み開始信号受信部にて受信されるまでに要した時間が設定時間より短いときのみ、前記位置情報送信部に位置情報を送信させる制御部と、
を備えたことを特徴とする。
【００２７】
請求項２に記載の発明は、請求項１に記載の筆記装置において、前記色情報切り替え手段は、手動操作で色情報を切り替えることができる色切り替えスイッチを、筆記装置本体の外側に設けていることを特徴とする。
【００２８】
請求項３に記載の発明は、請求項１または２に記載の筆記装置において、前記制御部にて、前記書込み開始信号送信部から書込み開始信号が送信されてから前記書込み開始信号受信部にて受信されるまでに要した時間が設定時間より短いときのみ、前記位置情報送信部に位置情報を送信させるとともに、前記色情報送信部に色情報を送信させることを特徴とする。
【００２９】
請求項４に記載の発明は、請求項１ないし３のいずれか１に記載の筆記装置において、筆記装置本体の外側で操作されてＯＮになったとき電源が供給される動作スイッチを備えることを特徴とする。
【００３０】
請求項５に記載の発明は、請求項１ないし４のいずれか１に記載の筆記装置において、筆記装置本体の外面に植毛処理を施したことを特徴とする。
【００３１】
請求項６に記載の発明は、請求項１ないし５のいずれか１に記載の筆記装置において、筆記装置本体の内面に衝撃吸収材を施したことを特徴とする。
【００３２】
請求項７に記載の発明は、請求項１ないし６のいずれか１に記載の筆記装置において、電源部に蓄電部と充電部とを備えたことを特徴とする。
【００３３】
請求項８に記載の発明は、ライティングボード装置において、請求項１ないし７に記載の筆記装置にて記録媒体上に書込みを行うことを特徴とする。
【００３５】
請求項９に記載の発明は、請求項８に記載のライティングボード装置において、前記筆記装置にて記録媒体上に書き込まれる書込み内容を前記筆記装置の筆記動作に合せてリアルタイムに読み取る前記書込み内容読取装置と、該書込み内容読取装置を外部機器と通信可能とする通信手段とを備えたことを特徴とする。
【００３６】
請求項１０に記載の発明は、請求項８または９に記載のライティングボード装置において、前記筆記装置にて記録媒体上に書き込まれた書込み内容を、前記通信手段を介した外部機器からの操作により自動的に消去する自動消去手段を備えたことを特徴とする。
【００３７】
請求項１１に記載の発明は、請求項８ないし１０のいずれか１に記載のライティングボード装置において、前記書込み内容読取装置により読み取った書込み内容を表示するモニタを備えたことを特徴とする。
【００４０】
【発明の実施の形態】
次に、本発明の実施の形態を図面に従って詳細に説明する。
図１に、電子黒板装置に適用した本発明の一実施例を示す。
【００４１】
この電子黒板装置１は、書込みを行うエンドレスシートである記録媒体２と、記録媒体２に書き込んだ内容を自動消去する自動消去装置３と、記録媒体２に書き込み後、書込み内容を記録紙に記録する、熱転写プリンタやインクジェットプリンタなどのプリント手段４と、電子黒板装置１およびそれに接続されている外部機器などを操作する操作パネル５と、記録媒体２の書込み面に書込みを行う筆記装置６と、筆記装置６で記録媒体２上に書き込まれる書込み内容を筆記装置６の筆記動作に合わせてリアルタイムに読み取る書込み内容読取装置７と、たとえば別の電子黒板装置やパソコンなどの外部機器と通信を行う通信手段８とにより構成される。図１では、この通信手段８に外部機器としてパソコン９が有線で接続され、さらにこのパソコン９にネットワーク１０が接続されている例を示す。
【００４２】
図２に、筆記装置６と書込み内容読取装置７の構成例を示す。
筆記装置６は、主に位置情報送信部１１と、色情報送信部１２と、演算・制御部１３と、電源部１４とにより構成される。書込み内容読取装置７は、主に位置情報受信部１５と、色情報受信部１６と、演算・制御部１７と、電源部１８とにより構成される。
【００４３】
次に、図１の実施例の動作について説明する。
電子黒板装置１の記録媒体２に、筆記装置６を用いて書込みを行うとき、筆記装置６に設置してある位置情報送信部１１より筆記装置６の位置信号が無線で送信される。送信された位置信号は、たとえば図１に示すように、電子黒板装置１の上縁右端と上縁左端の２箇所に取り付けてある書込み内容読取装置７の位置情報受信部１５にて受信される。
【００４４】
筆記装置６から送信された位置信号が、２箇所の位置情報受信部１５で受信されるまでに要した時間より、これら２箇所の位置情報受信部１５と筆記装置６の距離がわかり、三角測量の原理より筆記装置６の現在の位置座標が、筆記装置６の動作に合わせて書込み内容読取装置７の演算・制御部１７でリアルタイムに処理される。つまり、書込み内容がリアルタイムで読み取られる。
【００４５】
同様に、筆記装置６の書込み内容の色については、筆記装置６に設置してある色情報送信部１２より筆記装置６の書込み内容の色情報が同様に無線で送信され、書込み内容読取装置７に設置してある色情報受信部１６にて受信され、受信された色情報は、書込み内容読取装置７の演算・制御部１７にて処理される。たとえば、記録媒体２Ａに書き込む内容の色が４色必要なときは、通常では４色分（４つ）の筆記装置６が必要になるが、本発明によれば一本の筆記装置６で済むようになっている。
【００４６】
演算・制御部１７で処理された書込み内容のデータは、通信手段８を介してパソコン９やネットワーク１０に繋がっている他の外部機器に送信できる。送信された書込み内容データは、ネットワーク１０を経由して遠隔地にあるパソコンやその他の画像表示手段１９で見ることができる。書込み内容読取装置７は、筆記装置６の筆記動作に合わせてリアルタイムに読み取ることができるので、ネットワークミーティングなどが可能である。
【００４７】
また、パソコン９などと接続されているため、会議などで電子黒板装置の記録媒体２に書き込まれた内容を電子データとして保存したり、パソコン９で電子データを加工したり、ネットワーク１０を介して遠隔地などに配信することができる。
【００４８】
この電子黒板装置１には、プリント手段４が設置してあるため、会議終了後にアナログデータとして記録紙にプリントすることもできる。プリント手段４は、パソコン９からも操作でき、パソコン９のプリンタとしても使用できる。会議終了後は、操作パネル５より自動消去装置３を操作して記録媒体２に書き込まれた内容を自動消去できるので、手動で消去する手間が省ける。また、自動消去装置３が、特開平９−１２３６８１号公報に開示されているような湿式自動消去装置ならば、ペンの消しカス汚れが残りにくいのと、静電気を除去できるメリットがある。
【００４９】
図３に別の実施例を示し、図１の電子黒板装置１にモニタ２０を取り付けたものである。モニタ２０を取り付けることにより、パソコンなどの画像表示手段が電子黒板装置１の近くになくても、電子黒板装置１の記録媒体２の書込み内容が表示されているかどうかの確認が容易にできる。また、モニタ２０は、操作パネル５を操作することにより、画像データを保存したり、通信手段８を介してネットワーク１０を経由して遠隔地に送信したりする機能を持っているので、電子黒板装置１の近くにパソコンを用意する必要がなくなる。
【００５０】
図４に、電子黒板装置１をネットワークを経由して外部機器と接続した場合の実施例を示す。
この場合、電子黒板装置１の記録媒体２に書き込まれた内容を、通信手段８を介してネットワーク１０を経由して遠隔地にあるパソコン１０ａやプロジェクタ２１やディスプレー２２などの画像表示手段を使用することにより表示することができる。書込み内容読取装置７は、筆記装置６の筆記動作に合わせてリアルタイムに書込み内容を読み取ることができるので、遠隔地にある画像表示手段を使用してネットワークミーティングなどができる。ミーティングでの音声内容を遠隔地で聞きたいときは、電子黒板装置１に設けた音声送受信装置２３を使用して音声内容を送受信する。音声送受信装置２３にはマイクとスピーカを内蔵してあるため、ミーティングでの音声内容を遠隔地に送信及び遠隔地での音声内容を受信することができる。
【００５１】
また、遠隔地で別の電子黒板装置１ａを使用してのミーティングなどで、電子黒板装置１に書き込まれた内容をネットワーク１０を介してパソコン１０ａやディスプレー２２などの画像表示手段、または電子黒板装置１に取り付けてあるモニタ２０を用いて表示することができるとともに、遠隔のプリンタ４ａへ出力することもできる。パソコンなどの画像表示手段の表示する画像を切り替えることにより、複数のミーティングでの電子黒板装置に書き込まれた内容を表示することもできる。また、ネットワーク１０を介して送られてきた電子黒板装置に書き込まれた内容の画像などを、パソコンなどを使用して加工したり、ネットワーク１０を経由して遠隔地に配布することもできる。電子黒板装置に書き込まれた内容の画像データは、データベース２３などに保存することにより複数で共有することも可能である。
【００５２】
図５に別の実施例の概要を示す。
この場合、ネットワークミーティング終了後などに、図４に示すネットワーク１０に接続されているパソコン１０ａなどの外部機器からの操作により、消去信号がネットワーク１０を経由して電子黒板装置１の演算・制御部１７に送信され、自動消去装置３が作動して、電子黒板装置１に書き込まれた書込み内容を遠隔操作で自動消去することができる。
【００５３】
図６に別の実施例の概要を示する。
この場合、ネットワークミーティング終了後などに、電子黒板装置１の操作パネル５からの操作により、消去信号がネットワーク１０を経由して、図４に示すネットワーク１０に接続されているパソコン１０ａなどの外部機器の演算・制御部１７ａに送信され、外部機器の画像表示手段に表示されている電子黒板装置１の書込み内容の画像を消去２５することができる。
【００５４】
図７にさらに別の実施例を示する。
この場合、ネットワークミーティング終了後などに、図４に示すネットワーク１０に接続されているパソコン１０ａなどの外部機器からの操作により、外部機器の演算・制御部１７ａに消去信号が送信され、外部機器の表示媒体に表示されている画像データを保存する必要があるときは、画像データを保存２６した後、外部機器の表示媒体に表示されている画像を消去２５する。画像データを保存する必要がないときは、画像データを保存せずに外部機器の表示媒体に表示されている画像を消去する。
【００５５】
このとき同時に、外部機器の演算・制御部１７ａに送信された消去信号はネットワーク１０を経由して、電子黒板装置１の演算・制御部１７に送信され、必要に応じて電子黒板装置１の書込み内容を、電子黒板装置１に設置されているプリント手段４でアナログデータとして記録紙にプリントした後、電子黒板装置１の書込み内容を自動消去装置３で自動消去する。
【００５６】
同様に、電子黒板装置１の操作パネル５からの操作により、電子黒板装置１の演算・制御部１７に消去信号が送信され、必要に応じて電子黒板装置１の書込み内容を、電子黒板装置１に設置されているプリント手段４でアナログデータとして記録紙にプリント後、自動消去装置３で自動消去する。
【００５７】
このとき同時に、電子黒板装置１の演算・制御部１７に送信された消去信号はネットワーク１０を経由して、外部機器の演算・制御部１７ａに送信され、必要に応じて外部機器の表示媒体に表示されている画像データを保存２６した後、外部機器の表示媒体に表示されている画像を消去２５する。または、外部機器の表示媒体に表示されている画像を消去するのではなく、表示媒体に表示されるページを白紙の新規ページに更新して表示媒体に表示するようにする。新規ページに更新することにより、引き続き電子黒板装置１に書き込まれた内容を表示媒体を通して見ることもできる。また、ミーティング終了後、保存する画像データと破棄する画像データを容易に分けることもできる。
【００５８】
図８に、本発明による筆記装置の構成例を示す。図示の筆記装置６Ａは、その位置情報を送信する位置情報送信部２７と、筆記装置６で書き込む内容の色の色信号を送信する色情報送信部２８と、演算・制御部２９と、筆記装置６Ａで書き込む内容の色を切り替える色切り替えスイッチ３０と、電池による電源部３１と、電源部３１より電源供給し、筆記装置６Ａを動作させる動作スイッチ３２と、筆記装置本体６ａに着脱自在に内蔵されるペン３３とにより構成される。ペン３３のペン先３３ａは、先細となっている筆記装置本体６ａの先端から突出する。
【００５９】
この例では、演算・制御部２９と動作スイッチ３２と電源部３１は筆記装置本体６ａに内蔵され、色切り替えスイッチ３０は、筆記装置本体６ａの胴部外周に設けられ、色情報送信部２８は、筆記装置本体６ａの胴部と先細部との境界部分に設けられ、位置情報送信部２７は、筆記装置本体６ａの先細部の先端部分に設けられている。
【００６０】
次に、図８の筆記装置６Ａの動作について説明する。
筆記装置６Ａの内部に書き込みたい色のペン３３をセットする。筆記装置６Ａは、書込みを行う電子黒板装置１などの書込み面にペン３３のペン先を押し当てることにより、ペン３３が図８中の矢印方向に押され、バネなどで構成される動作スイッチ３２がＯＮになり、電源部３１から演算・制御部２９に電源供給される。
【００６１】
演算・制御部２９は、筆記装置６Ａの位置信号を筆記装置６Ａの動作に合わせてリアルタイムに、位置情報送信部２７から送信し、また筆記装置６Ａで書き込む内容の色の色信号を色情報送信部２８から送信する。送信された位置信号及び色信号は、図１または図４における書込み内容読取装置７で受信され、処理される。
【００６２】
色切り替えスイッチ３０は、スイッチを切り替えることにより、色切り替えスイッチ３０で指定した色の色信号を色情報送信部２８から送信する。たとえば、筆記装置６Ａの内部に黒色のペン３３を内蔵したとき、色切り替えスイッチ３０を黒色に設定すれば、電子黒板装置１の書込み内容及びパソコンなどの外部機器の表示媒体に表示される書込み内容も黒色で表示される。筆記装置６Ａに内蔵するペン３３の色を別の色に変更して、色切り替えスイッチ３０も別の色に切り替えれば、１本の筆記装置６Ａを用意するだけで、数種類の色を電子黒板装置１及び外部機器の画像表示手段に表示することができる。
【００６３】
また、筆記装置６Ａの内部に例えば黒色のペンを内蔵して、色切り替えスイッチ３０を赤色に設定すれば、電子黒板装置１の書込み内容の色は黒色のまま表示されるが、外部機器の画像表示手段の表示される書込み内容の色は赤色で表示される。この場合、筆記装置６Ａの内部に内蔵するペン３３は、一色分用意するだけで、外部機器の画像表示手段に表示する色を数種類の色に切り換えることができる。
【００６４】
図９に筆記装置の別の構成例を示す。
この筆記装置６Ｂでは、その位置信号を送信する位置情報送信部２７と、筆記装置６で書き込む内容の色の色信号を送信する色情報送信部２８と、演算・制御部２９と、筆記装置６Ａで書き込む内容の色を切り替える色切り替えスイッチ３０と、電源部３１と、電源部３１より電源供給し、筆記装置６Ａを動作させる動作スイッチ３２と、筆記装置本体６ａに内蔵されるペン３３に加え、書込み開始信号送信部３４及び書込み開始信号受信部３５により構成される。
【００６５】
この例では、動作スイッチ３２は筆記装置本体６ａの胴部外周に設けられ、書込み開始信号送信部３４及び書込み開始信号受信部３５は筆記装置本体６ａの先細部の外周に設けられている。
【００６６】
次に、図９の筆記装置６Ｂの動作について図１０を用いて説明する。
筆記装置６Ｂには、書込みを行うときに、筆記装置６Ｂを手で持つ位置に動作スイッチ３２が取り付けてある。筆記装置６Ｂを手で持ち書込みを行うときに、動作スイッチ３２を押さえると、この動作スイッチ３２がＯＮになる。これがＯＮになると、電源部３１から演算・制御部２９に電源が供給され、書込み開始信号送信部３４から書込み開始信号３６が送信される。送信された書込み開始信号３６は、電子黒板装置１の書込み面などに反射されて、書込み開始信号受信部３５にて受信される。
【００６７】
書込み開始信号受信部３５にて書込み開始信号が受信されると、演算・制御部２９で、書込み開始信号が送信から受信するまでに要した時間を演算する。書込み開始信号が送信から受信するまでに要した時間が、演算・制御部２９に設定されている設定時間より短いときのみ、位置情報送信部２７より位置信号３７が送信されとともに、色情報送信部２８より色切り替えスイッチ３０で設定してある色の色信号３８が送信される。すなわち、筆記装置６Ｂを動かして書込み動作をしている間だけ、位置信号３７及び色信号３８が送信されるので、書込み内容読取装置７は、その間における書込み内容のみを有効とする。
【００６８】
図１１に示す筆記装置６Ｃでは、筆記装置本体６ａの胴部外周に植毛処理３９を施している。植毛は、落下時の衝撃をやわらげるためには、毛足が長いものが望ましいが、筆記具であるので、把持部分のみは、ずれにくく持ちやすい素材にしてもよい。
【００６９】
図１２に示す筆記装置６Ｄでは、筆記装置本体６ａの胴部内周に、発泡ゴム等の衝撃吸収材４０を施して空間を密閉している。無線送信する場合、通常、筆記装置には落下を防止するコード等は備えられていない。そのため、落下時にセンサ等の電気部品が衝撃で故障するおそれがある。衝撃吸収材４０を筆記装置の本体内部に設けることで、電気部品への衝撃をやわらげ、故障の可能性を減らすことが可能となる。植毛処理と併用すれば、衝撃吸収能力はより高まる。
【００７０】
図１３は、筆記装置の電源部３１に充電部３１ａと蓄電部３１ｂとを備えている。充電方法は、外部電源４１からアダプタを差込む方法や、携帯電話等のように筆記装置に接触端子を設けて、充電が必要なときに充電ケースに立て掛けて充電する方法、電磁誘導充電式のような無接点の充電方式のいずれでもよい。充電装置は、筆記面を備えるプレゼンテーション装置に具備されていてもよい。その場合、プレゼンテーション装置の電源を充電装置に用いることができ、充電装置の配線が不要となり使用者の使い勝手がよくなる。
【００７１】
【発明の効果】
各請求項に記載の発明による効果は、次のとおりである。
（請求項８）
電源が供給されて書込み開始信号送信部より書込み開始信号が送信され、記録媒体で反射されて、再び書込み開始信号受信部より受信される時間が制御部の設定時間より短いときのみ、位置情報送信部より位置信号が送信される仕組みになっているので、筆記装置の電源消費量が抑えられる筆記装置にて記録媒体に書き込みを行うライティングボード装置を提供することができる。
（請求項９）
ライティングボード装置において、筆記装置にて記録媒体上に書き込まれる書込み内容を筆記装置の筆記動作に合せてリアルタイムに読み取る書込み内容読取装置と、該書込み内容読取装置を外部機器と通信可能とする通信手段とを備えているので、記録媒体上に書き込まれた内容を、通信手段を介してネットワークを経由して遠隔地にあるパソコンなどの外部機器の画像表示手段に表示することができる。また、書込み内容読取装置は、筆記装置の動作に合わせてリアルタイムに書込み内容を読み取ることができるので、遠隔地にある画像表示手段を使用してネットワークミーティングなどができる。さらに、記録媒体上に書き込まれた内容の電子データをパソコンなどを使用して加工したり、ネットワークを経由して遠隔地に配布することもできる。電子データは、データベースなどに保存することによりデータを共有することができる。
【００７４】
（請求項１０）
記録媒体上に書き込まれた書込み内容を、外部機器からの遠隔操作により消去することができる。
【００７５】
（請求項１１）
書込み内容読取装置により読み取った記録媒体上の書込み内容を表示するモニタを備えているので、パソコンなどを接続しなくても記録媒体上の書込み内容が書込み内容読取装置により読み取れているかの確認が容易にできる。また、モニタに記録媒体上の書込み内容を保存する機能をつければ、電子データとして記録媒体上の書込み内容を保存することができる。よって、ライティングボード装置の近くにパソコンを用意する必要がなくなる。
【００７８】
（請求項１）
筆記装置から書込み内容読取装置に色情報を送信して書込み内容の色を切り替えることができるので、記録媒体上の書込み内容の色を一本の筆記装置で切り替えることができる。したがって、一本の筆記装置を用意すれば複数の色が表現でき、コスト削減及び筆記装置を置くスペースの省スペース化が可能になる。また、電源が供給されて書込み開始信号送信部より書込み開始信号が送信され、記録媒体で反射されて、再び書込み開始信号受信部より受信される時間が制御部の設定時間より短いときのみ、位置情報送信部より位置信号が送信される仕組みになっているので、筆記装置の電源消費量が抑えられる。
【００７９】
（請求項２）
色切り替えを、筆記装置本体の外側に設けたスイッチで簡単に行うことができる。
【００８０】
（請求項３）
色情報送信部より色切り替えスイッチで設定してある色の色情報が送信される仕組みになっているので、筆記装置の電源消費量が抑えられる。
（請求項４）
筆記装置本体を手に持ってその外側で動作スイッチがＯＮにすると、記録媒体に強くペン先を押し当てて書込みを行わなくても良いため、ペン先がつぶれにくくなりペンの寿命を延ばすことができる。
【００８１】
（請求項５）
筆記装置本体の外面に植毛処理を施したので、筆記装置が落下した時の衝撃をやわらげ、筆記装置自体及びその内部の回路部分が壊れることを防ぐことができるとともに、すべり止めのような効果が生まれ、筆記しやすくする。
【００８２】
（請求項６）
特に衝撃が加わると破損しやすい筆記装置内部の電気回路や電子部品を、その周囲の衝撃吸収材で保護できるので、筆記装置の使用者が誤って筆記装置を落としてしまっても、これらへの衝撃による破損が少なくなる。
【００８３】
（請求項７）
筆記装置の電源部に蓄電部と充電部とを備えているので、乾電池等の交換が不要となり、充電部に外部から給電することによって繰り返し使用することができる。
【図面の簡単な説明】
【図１】電子黒板装置に適用した本発明の一実施例を示す構成図である。
【図２】同実施例における筆記装置と書込み内容読取装置の構成例を示すブロック図である。
【図３】ネットワークを経由して外部機器と通信できるようにした本発明の他の実施例を示す構成図である。
【図４】別の実施例の概要を示すブロック図である。
【図５】同様のブロック図である。
【図６】同様のブロック図である。
【図７】本発明による筆記装置の一実施例の断面図である。
【図８】筆記装置の別の実施例の断面図である。
【図９】同様の断面図である。
【図１０】筆記装置の構成例を示すブロック図である。
【図１１】筆記装置本体の外面に植毛処理を施した筆記装置の断面図である。
【図１２】筆記装置本体の内面に衝撃吸収材を施した筆記装置の断面図である。
【図１３】電源部に蓄電部と充電部とを備えた筆記装置の構成を示すブロック図である。
【符号の説明】
１  電子黒板装置
２  記録媒体
３  自動消去装置
４  プリント手段
５  操作パネル
６・６Ａ・６Ｂ・６Ｃ・６Ｄ  筆記装置
６ａ  筆記装置本体
７  書込み内容読取装置
８  通信手段
１１  位置情報送信部
１２  色情報送信部
１３  演算・制御部
１４  電源部
１５  位置情報受信部
１６  色情報受信部
１７  演算・制御部
２０  モニタ
２３  音声送受信装置
２７  位置情報送信部
２８  色情報送信部
２９  演算・制御部
３０  色切り替えスイッチ
３１  電源部
３１ａ  充電部
３１ｂ  蓄電部
３２  動作スイッチ
３３  ペン
３４  書込み開始信号送信部
３５  書込み開始信号受信部
３９  植毛処理
４０  衝撃吸収材
【図１】
0003901985.tif 000002
【図２】
0003901985.tif 000003
【図３】
0003901985.tif 000004
【図４】
0003901985.tif 000005
【図５】
0003901985.tif 000006
【図６】
0003901985.tif 000007
【図７】
0003901985.tif 000008
【図８】
0003901985.tif 000009
【図９】
0003901985.tif 000010
【図１０】
0003901985.tif 000011
【図１１】
0003901985.tif 000012
【図１２】
0003901985.tif 000013
【図１３】
0003901985.tif 000014